【手続補正書】
【提出日】平成18年4月21日(2006.4.21)
【手続補正１】
【補正対象書類名】明細書
【補正対象項目名】特許請求の範囲
【補正方法】変更
【補正の内容】
【特許請求の範囲】
【請求項１】  それぞれが互いに平行を成して延在し、隣接する２本の間の各間隙で各走査線を規定すると共にそれぞれが隣接する２本の前記走査線で共有される複数の維持放電電極と、前記維持放電電極を覆い、前記走査線に属する放電セルを発光させる面放電が生じる主面を有する誘電体層とを含む第１基板と、
それぞれが前記維持放電電極と立体交差する方向に配置され、互いに平行に延在する複数のアドレス電極を含み、前記誘電体層の前記主面の側に対面配置された第２基板と、
前記第１基板と前記第２基板との間に配置された複数のバリアリブとを備え、
各前記走査線に属する各前記放電セルでの各前記面放電が前記隣接する前記走査線間で実質的に分離されている交流型プラズマディスプレイパネルに適用される駆動方法において、
１画面を複数のサブフィールドに分割した上で、前記複数のサブフィールドのそれぞれが、
隣接する２本の前記維持放電電極に異なる電圧値の各走査線選択電圧を印加することにより行われる前記走査線の選択を順次に行って前記走査線の走査をすると共に前記走査線の前記選択に同期して当該走査線の画像データのＯＮ状態又はＯＦＦ状態に対応する電圧を各前記アドレス電極に印加するアドレス動作を実行して、選択された前記走査線に属する前記放電セルの内で前記ＯＮ状態の前記画像データに対応する前記電圧が印加された前記アドレス電極が属する前記放電セルに電荷を記憶する、アドレス期間と、
前記維持放電電極に維持電圧を印加する放電維持動作を実行して、前記電荷が記憶された前記放電セルに前記面放電を形成する、維持期間とを含む駆動方法であって、
前記アドレス期間では、前記走査線の選択時に相対的に負極性の走査線選択電圧が印加される前記維持放電電極を共有する互いに隣接する２本の走査線がそれぞれ異なるグループに属する様に複数の前記走査線を複数のグループに分類し、
前記グループ単位で時間的に分離して前記アドレス動作を実行するにおいて、
１本の前記維持放電電極を共有する一方の前記走査線の選択時における、前記１本の前記維持放電電極と共に前記一方の前記走査線を規定する前記維持放電電極の前記１本の前記維持放電電極に対する電位差と、
前記１本の前記維持放電電極を共有する他方の前記走査線の選択時における、前記１本の前記維持放電電極と共に前記他方の前記走査線を規定する前記維持放電電極の前記１本の前記維持放電電極に対する電位差とが互いに逆極性となる様に実行し、
前記維持期間では、隣接する２本の前記走査線に属する前記放電セルの全てを対象として前記放電維持動作を実行することを特徴とする、
交流型プラズマディスプレイパネルの駆動方法。
【請求項２】  請求項１に記載の交流型プラズマディスプレイパネルの駆動方法であって、
前記アドレス期間において、
前記走査線の非選択時に、前記走査線を規定する２本の前記維持放電電極の内の少なくとも一方の前記維持放電電極に、前記電荷の記憶状態を変える放電を抑制する放電抑制電圧を印加することを特徴とする、
交流型プラズマディスプレイパネルの駆動方法。
【請求項３】  請求項２に記載の交流型プラズマディスプレイパネルの駆動方法であって、
前記走査線を規定する他方の前記維持放電電極に、当該走査線が属する前記グループでの前記走査の開始時から少なくとも当該走査線の前記選択の終了までの期間、前記走査線選択電圧を印加することを特徴とする、
交流型プラズマディスプレイパネルの駆動方法。
【請求項４】  請求項３に記載の交流型プラズマディスプレイパネルの駆動方法であって、
同一の前記グループに属する前記走査線同士が隣接しないように前記複数の前記走査線を前記複数のグループに分割し、
前記走査の対象ではない前記グループに属する前記走査線を規定する前記維持放電電極であって前記他方の前記維持放電電極に隣接する前記維持放電電極に、前記走査の対象である前記グループでの前記走査の期間中、前記放電抑制電圧を印加することを特徴とする、
交流型プラズマディスプレイパネルの駆動方法。
【請求項５】  請求項４に記載の交流型プラズマディスプレイパネルの駆動方法であって、
前記走査の前記期間中、前記他方の前記維持放電電極に前記走査線選択電圧を継続的に印加することを特徴とする、
交流型プラズマディスプレイパネルの駆動方法。
【請求項６】  それぞれが互いに平行を成して延在し、隣接する２本の間の各間隙で各走査線を規定すると共にそれぞれが隣接する２本の前記走査線で共有される複数の維持放電電極と、前記維持放電電極を覆い、前記走査線に属する放電セルを発光させる面放電が生じる主面を有する誘電体層とを含む第１基板と、
それぞれが前記維持放電電極と立体交差する方向に配置され、互いに平行に延在する複数のアドレス電極を含み、前記誘電体層の前記主面の側に対面配置された第２基板と、
前記第１基板と前記第２基板との間に配置された複数のバリアリブとを備え、
各前記走査線に属する各前記放電セルでの各前記面放電が前記隣接する前記走査線間で実質的に分離されている交流型プラズマディスプレイパネルに適用される駆動方法において、
１画面を複数のサブフィールドに分割した上で、前記複数のサブフィールドのそれぞれが、
隣接する２本の前記維持放電電極に異なる電圧値の各走査線選択電圧を印加することにより行われる前記走査線の選択を順次に行って前記走査線の走査をすると共に前記走査線の前記選択に同期して当該走査線の画像データのＯＮ状態又はＯＦＦ状態に対応する電圧を各前記アドレス電極に印加するアドレス動作を実行して、選択された前記走査線に属する前記放電セルの内で前記ＯＮ状態の前記画像データに対応する前記電圧が印加された前記アドレス電極が属する前記放電セルに電荷を記憶する、アドレス期間と、
前記維持放電電極に維持電圧を印加する放電維持動作を実行して、前記電荷が記憶された前記放電セルに前記面放電を形成する、維持期間とを含む駆動方法であって、
前記アドレス期間では、前記走査線の選択時に相対的に負極性の走査線選択電圧が印加される前記維持放電電極を共有する互いに隣接する２本の走査線がそれぞれ異なるグループに属する様に複数の前記走査線を複数のグループに分類し、
前記グループ単位で時間的に分離して前記アドレス動作を実行するにおいて、
前記走査線の選択時に相対的に負極性の走査線選択電圧が印加される前記維持放電電極を共有する互いに隣接する２本の前記走査線の内、先に選択される一方の走査線に属する、前記電荷が記憶された前記放電セルにおいて、前記電荷の極性を反転させ、
その後に、前記隣接する２本の前記走査線の内、後に選択される他方の走査線を選択する様に実行するものとし、
前記維持期間では、隣接する２本の前記走査線に属する前記放電セルの全てを対象として前記放電維持動作を実行することを特徴とする、
交流型プラズマディスプレイパネルの駆動方法。
【請求項７】  それぞれが互いに平行を成して延在し、隣接する２本の間の各間隙で各走査線を規定すると共にそれぞれが隣接する２本の前記走査線で共有される複数の維持放電電極と、前記維持放電電極を覆い、前記走査線に属する放電セルを発光させる面放電が生じる主面を有する誘電体層とを含む第１基板と、
それぞれが前記維持放電電極と立体交差する方向に配置され、互いに平行に延在する複数のアドレス電極を含み、前記誘電体層の前記主面の側に対面配置された第２基板と、
前記第１基板と前記第２基板との間に配置された複数のバリアリブとを備え、
各前記走査線に属する各前記放電セルでの各前記面放電が前記隣接する前記走査線間で実質的に分離されている交流型プラズマディスプレイパネルに適用される駆動方法において、
１画面を複数のサブフィールドに分割した上で、前記複数のサブフィールドのそれぞれが、
隣接する２本の前記維持放電電極に異なる電圧値の各走査線選択電圧を印加することにより行われる前記走査線の選択を順次に行って前記走査線の走査をすると共に前記走査線の前記選択に同期して当該走査線の画像データのＯＮ状態又はＯＦＦ状態に対応する電圧を各前記アドレス電極に印加するアドレス動作を実行して、選択された前記走査線に属する前記放電セルの内で前記ＯＮ状態の前記画像データに対応する前記電圧が印加された前記アドレス電極が属する前記放電セルに電荷を記憶する、アドレス期間と、
前記維持放電電極に維持電圧を印加する放電維持動作を実行して、前記電荷が記憶された前記放電セルに前記面放電を形成する、維持期間とを含む駆動方法であって、
前記アドレス期間では、前記走査線の選択時に相対的に負極性の走査線選択電圧が印加される前記維持放電電極を共有する互いに隣接する２本の走査線がそれぞれ異なるグループに属する様に複数の前記走査線を複数のグループに分類し、
前記グループ単位で時間的に分離して前記アドレス動作を実行するにおいて、
前記走査線の選択時に相対的に負極性の走査線選択電圧が印加される前記維持放電電極を共有する互いに隣接する２本の前記走査線の内、先に選択される一方の走査線に属する、前記電荷が記憶された前記放電セルにおいて、前記面放電を生じさせ、
その後に、前記隣接する２本の前記走査線の内、後に選択される他方の走査線を選択する様に実行するものとし、
前記維持期間では、隣接する２本の前記走査線に属する前記放電セルの全てを対象として前記放電維持動作を実行することを特徴とする、
交流型プラズマディスプレイパネルの駆動方法。
【請求項８】  それぞれが互いに平行を成して延在し、隣接する２本の間の各間隙で各走査線を規定すると共にそれぞれが隣接する２本の前記走査線で共有される複数の維持放電電極と、前記維持放電電極を覆い、前記走査線に属する放電セルを発光させる面放電が生じる主面を有する誘電体層とを含む第１基板と、
それぞれが前記維持放電電極と立体交差する方向に配置され、互いに平行に延在する複数のアドレス電極を含み、前記誘電体層の前記主面の側に対面配置された第２基板と、
前記第１基板と前記第２基板との間に配置された複数のバリアリブとを備え、
各前記走査線に属する各前記放電セルでの各前記面放電が前記隣接する前記走査線間で実質的に分離されている交流型プラズマディスプレイパネルに適用される駆動方法において、
１画面を複数のサブフィールドに分割した上で、前記複数のサブフィールドのそれぞれが、
隣接する２本の前記維持放電電極に異なる電圧値の各走査線選択電圧を印加することにより行われる前記走査線の選択を順次に行って前記走査線の走査をすると共に前記走査線の前記選択に同期して当該走査線の画像データのＯＮ状態又はＯＦＦ状態に対応する電圧を各前記アドレス電極に印加するアドレス動作を実行して、選択された前記走査線に属する前記放電セルの内で前記ＯＮ状態の前記画像データに対応する前記電圧が印加された前記アドレス電極が属する前記放電セルに電荷を記憶する、アドレス期間と、
前記維持放電電極に維持電圧を印加する放電維持動作を実行して、前記電荷が記憶された前記放電セルに前記面放電を形成する、維持期間とを含む駆動方法であって、
前記アドレス期間では、前記走査線の選択時に相対的に負極性の走査線選択電圧が印加される前記維持放電電極を共有する互いに隣接する２本の走査線がそれぞれ異なるグループに属する様に複数の前記走査線を複数のグループに分類し、
前記グループ単位で時間的に分離して前記アドレス動作を実行するにおいて、
前記維持放電電極への印加電圧を、一の前記グループでの前記走査の終了時から変化させることなく、他の前記グループでの前記走査を開始する様に実行し、
前記維持期間では、隣接する２本の前記走査線に属する前記放電セルの全てを対象として前記放電維持動作を実行することを特徴とする、
交流型プラズマディスプレイパネルの駆動方法。
【請求項９】  それぞれが互いに平行を成して延在し、隣接する２本の間の各間隙で各走査線を規定すると共にそれぞれが隣接する２本の前記走査線で共有される複数の維持放電電極と、前記維持放電電極を覆い、前記走査線に属する放電セルを発光させる面放電が生じる主面を有する誘電体層とを含む第１基板と、
それぞれが前記維持放電電極と立体交差する方向に配置され、互いに平行に延在する複数のアドレス電極を含み、前記誘電体層の前記主面の側に対面配置された第２基板と、
前記第１基板と前記第２基板との間に配置された複数のバリアリブとを備え、
各前記走査線に属する各前記放電セルでの各前記面放電が前記隣接する前記走査線間で実質的に分離されている交流型プラズマディスプレイパネルに適用される駆動方法において、
１画面を複数のサブフィールドに分割した上で、前記複数のサブフィールドのそれぞれが、
隣接する２本の前記維持放電電極に異なる電圧値の各走査線選択電圧を印加することにより行われる前記走査線の選択を順次に行って前記走査線の走査をすると共に前記走査線の前記選択に同期して当該走査線の画像データのＯＮ状態又はＯＦＦ状態に対応する電圧を各前記アドレス電極に印加するアドレス動作を実行して、選択された前記走査線に属する前記放電セルの内で前記ＯＮ状態の前記画像データに対応する前記電圧が印加された前記アドレス電極が属する前記放電セルに電荷を記憶する、アドレス期間と、
前記維持放電電極に維持電圧を印加する放電維持動作を実行して、前記電荷が記憶された前記放電セルに前記面放電を形成する、維持期間とを含む駆動方法であって、
前記アドレス期間では、前記走査線の選択時に相対的に負極性の走査線選択電圧が印加される前記維持放電電極を共有する互いに隣接する２本の走査線がそれぞれ異なるグループに属する様に複数の前記走査線を複数のグループに分類し、
前記グループ単位で時間的に分離して前記アドレス動作を実行するにおいて、
前記維持放電電極への印加電圧を、前記アドレス期間の終了時から変化させることなく、前記維持期間での前記放電維持動作を開始するものとし、
前記維持期間では、隣接する２本の前記走査線に属する前記放電セルの全てを対象として前記放電維持動作を実行することを特徴とする、
交流型プラズマディスプレイパネルの駆動方法。
【請求項１０】  それぞれが互いに平行を成して延在し、隣接する２本の間の各間隙で各走査線を規定すると共にそれぞれが隣接する２本の前記走査線で共有される複数の維持放電電極と、前記維持放電電極を覆い、前記走査線に属する放電セルを発光させる面放電が生じる主面を有する誘電体層とを含む第１基板と、
それぞれが前記維持放電電極と立体交差する方向に配置され、互いに平行に延在する複数のアドレス電極を含み、前記誘電体層の前記主面の側に対面配置された第２基板と、
前記第１基板と前記第２基板との間に配置された複数のバリアリブとを備え、
各前記走査線に属する各前記放電セルでの各前記面放電が前記隣接する前記走査線間で実質的に分離されている交流型プラズマディスプレイパネルに適用される駆動方法において、
１画面を複数のサブフィールドに分割した上で、前記複数のサブフィールドのそれぞれが、
隣接する２本の前記維持放電電極に異なる電圧値の各走査線選択電圧を印加することにより行われる前記走査線の選択を順次に行って前記走査線の走査をすると共に前記走査線の前記選択に同期して当該走査線の画像データのＯＮ状態又はＯＦＦ状態に対応する電圧を各前記アドレス電極に印加するアドレス動作を実行して、選択された前記走査線に属する前記放電セルの内で前記ＯＮ状態の前記画像データに対応する前記電圧が印加された前記アドレス電極が属する前記放電セルに電荷を記憶する、アドレス期間と、
前記維持放電電極に維持電圧を印加する放電維持動作を実行して、前記電荷が記憶された前記放電セルに前記面放電を形成する、維持期間とを含む駆動方法であって、
前記アドレス期間では、前記走査線の選択時に相対的に負極性の走査線選択電圧が印加される前記維持放電電極を共有する互いに隣接する２本の走査線がそれぞれ異なるグループに属する様に複数の前記走査線を複数のグループに分類し、
前記グループ単位で時間的に分離して前記アドレス動作を実行するにおいて、
前記複数のグループの、前記アドレス動作を実行する順序が、複数の画面を通じて同一とならないように実行し、
前記維持期間では、隣接する２本の前記走査線に属する前記放電セルの全てを対象として前記放電維持動作を実行することを特徴とする、
交流型プラズマディスプレイパネルの駆動方法。
【請求項１１】  請求項１０に記載の交流型プラズマディスプレイパネルの駆動方法であって、
前記複数のグループの前記アドレス動作の順序を、複数の画面を通じて互いの前記グループの間で平均化することを特徴とする、
交流型プラズマディスプレイパネルの駆動方法。
【請求項１２】  請求項１１に記載の交流型プラズマディスプレイパネルの駆動方法であって、
前記複数のグループは２つとし、前記２つのグループの前記アドレス動作の順序を、連続する２画面を通じて互いの前記グループの間で平均化することを特徴とする、
交流型プラズマディスプレイパネルの駆動方法。
【請求項１３】  それぞれが互いに平行を成して延在し、隣接する２本の間の各間隙で各走査線を規定すると共にそれぞれが隣接する２本の前記走査線で共有される複数の維持放電電極と、前記維持放電電極を覆い、前記走査線に属する放電セルを発光させる面放電が生じる主面を有する誘電体層とを含む第１基板と、
それぞれが前記維持放電電極と立体交差する方向に配置され、互いに平行に延在する複数のアドレス電極を含み、前記誘電体層の前記主面の側に対面配置された第２基板と、
前記第１基板と前記第２基板との間に配置された複数のバリアリブとを備え、
前記複数の前記走査線はその配列方向において２つのブロック領域に分割され、
前記アドレス電極はそれぞれ各前記ブロック領域に属する、互いに電気的に分断された２つの電極から成っており、
各前記走査線に属する各前記放電セルでの各前記面放電が前記隣接する前記走査線間で実質的に分離されている交流型プラズマディスプレイパネルに適用される駆動方法において、
１画面を複数のサブフィールドに分割した上で、前記複数のサブフィールドのそれぞれが、
隣接する２本の前記維持放電電極に異なる電圧値の各走査線選択電圧を印加することにより行われる前記走査線の選択を順次に行って前記走査線の走査をすると共に前記走査線の前記選択に同期して当該走査線の画像データのＯＮ状態又はＯＦＦ状態に対応する電圧を各前記アドレス電極に印加するアドレス動作を実行して、選択された前記走査線に属する前記放電セルの内で前記ＯＮ状態の前記画像データに対応する前記電圧が印加された前記アドレス電極が属する前記放電セルに電荷を記憶する、アドレス期間と、
前記維持放電電極に維持電圧を印加する放電維持動作を実行して、前記電荷が記憶された前記放電セルに前記面放電を形成する、維持期間とを含む駆動方法であって、
前記アドレス期間では、前記走査線の選択時に相対的に負極性の走査線選択電圧が印加される前記維持放電電極を共有する互いに隣接する２本の走査線がそれぞれ異なるグループに属する様に複数の前記走査線を複数のグループに分類し、
前記グループ単位で時間的に分離して前記アドレス動作を実行するにおいて、
前記２つのブロック領域毎に、各前記ブロック領域に属する複数の前記走査線を前記複数のグループに分割した上で、前記２つのブロック領域で並行して実行し、
前記維持期間では、隣接する２本の前記走査線に属する前記放電セルの全てを対象として前記放電維持動作を実行することを特徴とする、
交流型プラズマディスプレイパネルの駆動方法。
【請求項１４】  請求項１３に記載の交流型プラズマディスプレイパネルの駆動方法であって、
前記２つのブロック領域の境界を介して隣接する２つの前記走査線の前記選択を同期して行うことを特徴とする、
交流型プラズマディスプレイパネルの駆動方法。
【請求項１５】  請求項１３に記載の交流型プラズマディスプレイパネルの駆動方法であって、
前記２つのブロック領域で並行して行われる前記走査線の選択の走査方向を、前記２つのブロック領域間で互いに反対とすることを特徴とする、
交流型プラズマディスプレイパネルの駆動方法。
【請求項１６】  それぞれが互いに平行を成して延在し、隣接する２本の間の各間隙で各走査線を規定すると共にそれぞれが隣接する２本の前記走査線で共有される複数の維持放電電極と、前記維持放電電極を覆い、前記走査線に属する放電セルを発光させる面放電が生じる主面を有する誘電体層と、前記誘電体層を被覆するカソード膜と、前記隣接する走査線の間の部分の前記カソード膜を被覆する放電不活性膜とを含む第１基板と、
それぞれが前記維持放電電極と立体交差する方向に配置され、互いに平行に延在する複数のアドレス電極を含み、前記誘電体層の前記主面の側に対面配置された第２基板と、
前記第１基板と前記第２基板との間に配置された複数のバリアリブと、
を備えている交流型プラズマディスプレイパネルに適用される駆動方法において、
１画面を複数のサブフィールドに分割した上で、前記複数のサブフィールドのそれぞれが、
隣接する２本の前記維持放電電極に異なる電圧値の各走査線選択電圧を印加することにより行われる前記走査線の選択を順次に行って前記走査線の走査をすると共に前記走査線の前記選択に同期して当該走査線の画像データのＯＮ状態又はＯＦＦ状態に対応する電圧を各前記アドレス電極に印加するアドレス動作を実行して、選択された前記走査線に属する前記放電セルの内で前記ＯＮ状態の前記画像データに対応する前記電圧が印加された前記アドレス電極が属する前記放電セルに電荷を記憶する、アドレス期間と、
前記維持放電電極に維持電圧を印加する放電維持動作を実行して、前記電荷が記憶された前記放電セルに前記面放電を形成する、維持期間とを含む駆動方法であって、
前記アドレス期間では、前記走査線の選択時に相対的に負極性の走査線選択電圧が印加される前記維持放電電極を共有する互いに隣接する２本の走査線がそれぞれ異なるグループに属する様に複数の前記走査線を複数のグループに分類し、
前記グループ単位で時間的に分離して前記アドレス動作を実行するものとし、
前記維持期間では、隣接する２本の前記走査線に属する前記放電セルの全てを対象として前記放電維持動作を実行することを特徴とする、
交流型プラズマディスプレイパネルの駆動方法。
【手続補正２】
【補正対象書類名】明細書
【補正対象項目名】００１２
【補正方法】変更
【補正の内容】
【００１２】
【課題を解決するための手段】
本発明の主題は、それぞれが互いに平行を成して延在し、隣接する２本の間の各間隙で各走査線を規定すると共にそれぞれが隣接する２本の前記走査線で共有される複数の維持放電電極と、前記維持放電電極を覆い、前記走査線に属する放電セルを発光させる面放電が生じる主面を有する誘電体層とを含む第１基板と、それぞれが前記維持放電電極と立体交差する方向に配置され、互いに平行に延在する複数のアドレス電極を含み、前記誘電体層の前記主面の側に対面配置された第２基板と、前記第１基板と前記第２基板との間に配置された複数のバリアリブとを備え、各前記走査線に属する各前記放電セルでの各前記面放電が前記隣接する前記走査線間で実質的に分離されている交流型プラズマディスプレイパネルに適用される駆動方法において、１画面を複数のサブフィールドに分割した上で、前記複数のサブフィールドのそれぞれが、隣接する２本の前記維持放電電極に異なる電圧値の各走査線選択電圧を印加することにより行われる前記走査線の選択を順次に行って前記走査線の走査をすると共に前記走査線の前記選択に同期して当該走査線の画像データのＯＮ状態又はＯＦＦ状態に対応する電圧を各前記アドレス電極に印加するアドレス動作を実行して、選択された前記走査線に属する前記放電セルの内で前記ＯＮ状態の前記画像データに対応する前記電圧が印加された前記アドレス電極が属する前記放電セルに電荷を記憶する、アドレス期間と、前記維持放電電極に維持電圧を印加する放電維持動作を実行して、前記電荷が記憶された前記放電セルに前記面放電を形成する、維持期間とを含む駆動方法であって、前記アドレス期間では、前記走査線の選択時に相対的に負極性の走査線選択電圧が印加される前記維持放電電極を共有する互いに隣接する２本の走査線がそれぞれ異なるグループに属する様に複数の前記走査線を複数のグループに分類し、前記グループ単位で時間的に分離して前記アドレス動作を実行するにおいて、１本の前記維持放電電極を共有する一方の前記走査線の選択時における、前記１本の前記維持放電電極と共に前記一方の前記走査線を規定する前記維持放電電極の前記１本の前記維持放電電極に対する電位差と、前記１本の前記維持放電電極を共有する他方の前記走査線の選択時における、前記１本の前記維持放電電極と共に前記他方の前記走査線を規定する前記維持放電電極の前記１本の前記維持放電電極に対する電位差とが互いに逆極性となる様に実行し、前記維持期間では、隣接する２本の前記走査線に属する前記放電セルの全てを対象として前記放電維持動作を実行することを特徴とする。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】０１９４
【補正方法】変更
【補正の内容】
【０１９４】
（２）請求項１に係る発明によれば、１本の維持放電電極を共有する一方又は他方の走査線を先行して選択した際に、選択対象ではない走査線に属する放電セルで維持放電電極とアドレス電極との間に対向放電（不要な対向放電）がたとえ発生しても、上記選択対象ではない走査線の選択時に確実に書き込み放電を形成することができる。
【手続補正１４】
【補正対象書類名】明細書
【補正対象項目名】０１９６
【補正方法】変更
【補正の内容】
【０１９６】
（３）請求項２に係る発明によれば、走査線の非選択時には、走査線を規定する２本の内の少なくとも一方の維持放電電極に、放電抑制電圧を印加するので、書き込み放電（及び当該書き込み放電を誘起する、アドレス電極と維持放電電極との間の対向放電（不要な対向放電及び誤った対向放電）さえも）が誤って発生することがない。このため、誤った書き込み放電により形成・蓄積された電荷によって正規の書き込み放電が阻害されたり、誤った書き込み放電によって正規の書き込み放電後に蓄積されている正規の（壁）電荷が減少したりすることを抑制することができる。その結果、維持期間における不点灯等の不都合が低減されて、より高品質な画像表示を得ることができる。
【手続補正１５】
【補正対象書類名】明細書
【補正対象項目名】０１９７
【補正方法】変更
【補正の内容】
【０１９７】
（４）請求項３に係る発明によれば、走査線を規定する他方の維持放電電極には、走査線の選択時に既に走査線選択電圧が印加されているので、上記一方の維持放電電極へ印加電圧を放電抑制電圧から走査線選択電圧へスイッチするだけで、当該走査線を選択することができる。このため、一方及び他方の維持放電電極の双方の各印加電圧を各走査線選択電圧にスイッチする場合と比較して、書き込み放電形成の応答をより速くすることができ、確実な書き込み放電を形成可能である。更に、維持放電電極へ電圧を供給する回路の駆動シーケンスが単純化され、同回路の負荷を低減することができる。
【手続補正１６】
【補正対象書類名】明細書
【補正対象項目名】０１９８
【補正方法】変更
【補正の内容】
【０１９８】
（５）請求項４に係る発明によれば、走査の対象ではないグループに属する走査線を規定する維持放電電極であって上記他方の維持放電電極に隣接する維持放電電極に、走査の対象であるグループでの走査の期間中、放電抑制電圧を印加する。他方、上記一方の維持放電電極には、上記走査の期間中で非選択時に放電抑制電圧が印加されている。つまり、上記他方の維持放電電極は当該走査線の選択時以外は、放電抑制電圧が印加された維持放電電極で挟まれる。このため、当該他方の維持放電電極に走査の期間中、継続的に走査線選択電圧を印加した場合であっても、他方の維持放電電極を共有する各走査線に属する各放電セルにおいて誤って書き込み放電が発生することがない。従って、当該他方の維持放電電極への印加電圧をそのように設定することによって、走査の期間中、当該他方の維持放電電極への印加電圧をスイッチする必要が無くなる。その結果、請求項４に係る駆動方法と比較して、維持放電電極へ電圧を供給する回路の駆動シーケンスが更に単純化され、同回路の負荷をより低減することができる。
【手続補正１７】
【補正対象書類名】明細書
【補正対象項目名】０１９９
【補正方法】変更
【補正の内容】
【０１９９】
（６）請求項５に係る発明によれば、走査の期間中、上記他方の維持放電電極への印加電圧をスイッチする必要が無い。このため、請求項５に係る駆動方法と比較して、維持放電電極へ電圧を供給する回路の駆動シーケンスが更に単純化され、同回路の負荷をより低減することができる。
【手続補正１８】
【補正対象書類名】明細書
【補正対象項目名】０２００
【補正方法】変更
【補正の内容】
【０２００】
（７）請求項６に係る発明によれば、隣接する２本の走査線の一方の走査線を規定する各維持放電電極の上方に書き込み放電により形成・蓄積された各電荷の極性を反転させた後に、他方の走査線を選択する。このため、上記一方の走査線に属する書き込み放電が形成された放電セル内に蓄積された正規の電荷による電圧と上記隣接する２本の走査線の他方の走査線の選択時に各維持放電電極に印加される各所定の電圧とが重畳されて、当該放電セルで書き込み動作後に放電が発生することを大幅に抑制することができる。従って、かかる放電のプライミング効果によって他方の走査線に属する放電セルに誤って発生する、書き込み放電（誤った書き込み放電）を確実に抑制することができる。その結果、上述の電荷の極性反転を行わない場合と比較して、不点灯等の不都合が低減されてより高品質な画像表示を得ることができる。
【手続補正１９】
【補正対象書類名】明細書
【補正対象項目名】０２０４
【補正方法】変更
【補正の内容】
【０２０４】
（１１）請求項１４に係る発明によれば、２つの領域の境界を介して隣接する２つの走査線を同期して選択する。このため、上記２つの走査線の各選択のタイミングが異なる場合に生じうる、放電セルに蓄積された電荷の状態の変化を抑制することができる。これにより、当該各走査線に属する各放電セルの双方で確実な書き込み動作を行うことができる。